(57)【要約】【課題】  壁厚が異なる腰壁に、開口部を安価に設けることができるようにしたバルコニーなどの建物付設物の腰壁とする。【解決手段】  バルコニーの腰壁３に開口５を形成し、この開口５に枠６を取付けると共に、この枠６の見込み方向両端部に縁どり材７を取付けて開口部４とし、前記枠６を、ビスホール１１を有する押出成形材を所定長さに切断した枠体１０で構成し、そのビスホール１１に螺合したビス１２で縁どり材７を取付けるようにしたバルコニーの腰壁。  これによって、押出成形材を腰壁３の壁厚に応じた長さに切断することで枠６とすることができるから、壁厚が異なる腰壁３に開口部４を安価に設けることができる。【選択図】  図２
2005076387.tif 000002
【特許請求の範囲】
【請求項１】
腰壁の開口に、ビスホールを有する押出成形材を所定長さに切断した枠体より成る枠を、その枠体の押出し方向が腰壁の壁厚方向に向かうように挿入し、この枠の見込み方向両端部に縁どり材を、前記ビスホールに螺合したビスで取付けて前記開口を覆うことにより開口部としたことを特徴とする建物付設物の腰壁。
【請求項２】
両端部又は両端部近傍に取付部を有した複数の枠体を、その取付部相互を連結することで枠とした請求項１記載の建物付設物の腰壁。
【請求項３】
断面コ字形状、断面半円形状、断面直線形状の複数の枠体のいくつかを組み合わせて枠とした請求項１又は２記載の建物付設物の腰壁。
【発明の詳細な説明】
【技術分野】
【０００１】
本発明は、バルコニーの腰壁、外階段の腰壁、外廊下の腰壁、玄関前の遮蔽用壁などの建物付設物の腰壁に関する。
【背景技術】
【０００２】
バルコニーの腰壁には、通風や採光、外観意匠上のアクセント等を目的とした開口部を設けることがある。
例えば、特許文献１に開示されたように、バルコニーの腰壁に開口を形成し、この開口に枠を取付けている。
【０００３】
【特許文献１】実公平７−６２４４号公報
【発明の開示】
【発明が解決しようとする課題】
【０００４】
前述した従来のバルコニーの腰壁に用いた枠は、左右枠体と上下枠体を矩形に枠組みしたもので、その枠の見込み寸法（つまり、腰壁の壁厚方向の寸法）は、左右枠体、上下枠体の見込み寸法によって決定され、見込み寸法の異なる枠を製作するには、見込み寸法の異なる左右枠体、上下枠体を必要とする。
このために、壁厚が異なる複数の腰壁に対応するには、見込み寸法の異なる複数の枠を製作準備しなければならずコストが高いものとなる。
【０００５】
特に、前述したようにバルコニーの腰壁に、通風や採光、外観意匠上のアクセント等を目的として設ける開口部は、その開口寸法及び高さ寸法は、人が転落しないことといった使用者の安全を考慮すると必然的に小さな開口部となり、この寸法も概ね一定の範囲に定まってしまうため開口方向、高さ方向の自由度、バリエーションはさほど要求されない。
一方、腰壁の壁厚に関しては、外装材の多様化、住宅の建築工法及び意匠の多様化により様々な寸法となっており、むしろ見込み方向の自由度、バリエーションが求められている。
このように、見込み方向の自由度、バリエーションが求められる開口部であると、見込み寸法の異なる枠が必要であるが、前述した従来の枠では見込み寸法の異なる枠を製作、準備するのが大変で、コストが高いものとなってしまう。
【０００６】
本発明は、前述の課題に鑑みなされたもので、その目的は、壁厚の異なる腰壁に開口部を安価に設けることができる建物付設物の腰壁を提供することである。
【課題を解決するための手段】
【０００７】
第１の発明は、腰壁の開口に、ビスホールを有する押出成形材を所定長さに切断した枠体より成る枠を、その枠体の押出し方向が腰壁の壁厚方向に向かうように挿入し、この枠の見込み方向両端部に縁どり材を、前記ビスホールに螺合したビスで取付けて前記開口を覆うことにより開口部としたことを特徴とする建物付設物の腰壁である。
【０００８】
第２の発明は、第１の発明において両端部又は両端部近傍に取付部を有した複数の枠体を、その取付部相互を連結することで枠とした建物付設物の腰壁ある。
【０００９】
第３の発明は、第１又は第２の発明において断面コ字形状、断面半円形状、断面直線形状の複数の枠体のいくつかを組み合わせて枠とした建物付設物の腰壁である。
【発明の効果】
【００１０】
請求項１に係る発明によれば、押出成形材を所定の長さに切断して枠としたので、腰壁の壁厚に応じて押出成形材を所定の長さに切断することで枠とすることができ、腰壁の壁厚に応じた見込み寸法の枠を安価に製作できる。
また、押出成形材はビスホールを有し、そのビスホールにビスを螺合して縁どり材を取付けるので、その縁どり材を容易に取付けできるし、取付けるための特別な加工が不要である。
これらが相俟って、壁厚の異なる腰壁に開口部を安価に設けることができる。
【００１１】
また、腰壁の開口、枠が縁どり材で覆われて見えないから、見栄えよ良い開口部とすることができる。
【００１２】
請求項２に係る発明によれば、複数の枠体で枠を形成するので、小さな枠体を用いて大きな枠とすることができる。
また、複数の枠体は、その両端部又は両端部近傍の取付部をそれぞれ相互に連結して枠とするので、その作業が容易である。
【００１３】
請求項３に係る発明によれば、断面長方形状、断面円形状、断面三角形状などの任意の断面形状の枠とすることができる。
よって、腰壁の開口、縁どり材を枠の断面形状と同じとすることで、任意の形状の開口部とすることができる。
【発明を実施するための最良の形態】
【００１４】
図１に示すように、建物１の付設物であるバルコニー２の腰壁３に開口部４が設けてある。
この開口部４は、主として通風や採光、外観意匠上のアクセント等を目的とするものである。
前記開口部４は、図２に示すように腰壁３の壁厚方向に形成した開口５と、その開口５内に設けた枠６と、この枠６の見込み方向両端部にそれぞれ取付けた小口蓋を兼用する縁どり材７を備えている。
この実施の形態では、室外側に位置する縁どり材７に化粧材８が取付けてある。
【００１５】
前記枠６は押出成形材を押出方向に所定長さ、好ましくは腰壁３の壁厚よりも長い所定長さに切断した枠体１０によって筒形状で、その枠体１０は押出方向に連続したビスホール１１を有する。この枠体１０は、その押出し方向が腰壁３の壁厚方向に向かうように開口５内に挿入される。前記ビスホール１１は枠体１０の外周側に形成されている。なお、ビスホール１１は内周側に形成しても良い。
前記枠６の見込み方向両端部、好ましくは腰壁３の見込み方向両面３ａよりも突出した両端部に、縁どり材７がビス１２で取付けてある。このビス１２は前記枠体１０のビスホール１１に螺合している。
前記縁どり材７は腰壁３の開口５よりも大きく、かつ枠６の内周よりも小さな穴７ａを有し、その開口５及び枠６を覆って見えないようにしてある。
【００１６】
前記化粧材８は室外側の縁どり材７にビス１３で取付けられ、前述の縁どり材７を取付けるビス１２及び化粧材８を取付けるビス１３を覆って見えないようにしてあると共に、縁どり材７の穴７ａよりも小さな穴８ａを有する。
例えば、化粧材８は、リング状の表面板１４と、その内周縁に一体に設けた内周筒１５と、表面板１４の外周縁に一体に設けた外周筒１６と、リング状の取付片１７を有する形状である。そして、枠６に縁どり材７をビス１２で取付けた後に、その縁どり材７の裏面からビス１３を取付片１７に螺合し、そのビス１３が表面板１４で見えないようにしてある。
なお、反対側の縁どり材７を取付けるビス１２は見える。
【００１７】
次に、各部材の具体形状の一例を説明する。
バルコニーの腰壁３は、骨組体２０の上面に上面板２１を取付けると共に、その上面板２１に外装材２２をそれぞれ取付けたもので、この各外装材２２と骨組体２０に連続して開口５が形成されている。
前記上面板２１にはブラケット２３を介して笠木２４が取付けてある。
前記各外装材２２の表面間の寸法（つまり、前述の見込み方向両面３ａ間の寸法）が壁厚Ｈである。
この実施の形態の腰壁３は上面板２１を用いているが、この上面板２１を用いない腰壁３としても良い。その場合には骨組体２０に外装材２２、笠木２４を取付ける。
【００１８】
前記枠体１０は、図３に示すように矩形の中空形状で、その各辺部とコーナー部にビスホール１１が長手方向に連続してそれぞれ有する。
前記縁どり材７は、図３に示すように外周と内周が矩形のリング形状の板材で、その外周が枠体１０（枠６）の外周よりも大きく、内周が枠体１０（枠６）の内周よりも小さい。
前記縁どり材７の各辺部にビス挿通孔７ｂが、枠体１０のビスホール１１と対向して形成され、各ビス挿通孔７ｂからビス１２をビスホール１１に螺合して取付けてあり、この縁どり材７の外周寄り部と腰壁３の見込み方向両面３ａ（外装材２２の表面）との間にシール材１８が四周連続して装着してある。
【００１９】
前述のようであるから、腰壁３の壁厚Ｈが異なる場合には押出成形材より成る枠体１０を壁厚Ｈに対応した長さに切断加工することで、腰壁３の壁厚Ｈに対応した見込み寸法の枠６とすることができる。
【００２０】
この実施の形態では、枠６は腰壁３の壁厚Ｈよりも長尺で、その見込み方向両端部が腰部３の見込み方向両面３ａよりも突出し、その両端部に縁どり材７が接してビス固着してあるが、これに限ることはなく、枠６は腰壁３の壁厚Ｈよりも短尺で、その見込み方向両端部と縁どり材７が離隔するようにしても良いし、縁どり材７を、穴７ａの開口縁に沿って取付用突片を有する形状とし、その取付用突片を枠６の両端部に接してビス固着するようにしても良い。
【００２１】
以上の実施の形態では、１つの枠体１０で枠６としたが複数の枠体１０で枠６としても良く、このようにうすれば、小さな枠体１０で大きな枠６とすることができる。
例えば、図４（ａ），（ｂ）に示すように断面ほぼコ字形状で、その両側開口縁（両端部）に連結用フランジ１０ａ（取付部）を備えた枠体１０を、２つ組み合わせて連結用フランジ１０ａをビス１０ｂで連結して断面矩形状の枠６とする。なお、取付部は両端部近傍に設けても良い。
【００２２】
図５に示すように、枠体１０を断面半円形状とすれば、２つの枠体１０を組み合わせることで断面円形状の枠６とする。
図６に示すように、枠体１０を断面直線状で一対の連結用フランジ１０ａがハ字形状となるように斜めとすれば、その枠体１０を３つ組み合わせることで断面三角形状の枠６とすることができる。
【００２３】
図７に示すように、断面コ字形状の２つの枠体１０と、断面直線形状の２つの枠体１０を組み合わせることで断面長方形状の枠６とすることができる。
図８に示すように、断面半円形状の２つの枠体１０と断面直線形状の２つの枠体１０を組み合わせることで、断面ほぼ長円形状の枠６とすることができる。
【００２４】
前述の各実施の形態は、バルコニーの腰壁についてであるが、これに限ることはなく、外階段の腰壁、外廊下の腰壁、玄関前の遮蔽用壁などにも適用できる。つまり建物付設物の腰壁に適用できる。
【００２５】
また、前述の枠６の内部に、面格子やパネル等の付加部材を取付けても良い。
例えば、枠６の内面にブラケットをビス止めし、このブラケットに付加部材をビスで固着して取付ける。
【図面の簡単な説明】
【００２６】
【図１】バルコニーを備えた建物の外観図である。
【図２】腰壁の開口部の拡大断面図である。
【図３】枠と縁どり材の斜視図である。
【図４】枠の他の実施の形態を示す正面図である。
【図５】断面円形状の枠の正面図である。
【図６】断面三角形状の枠の正面図である。
【図７】断面長方形状の枠の正面図である。
【図８】断面ほぼ長円形状の枠の正面図である。
【符号の説明】
【００２７】
３…腰壁、４…開口部、５…開口、６…枠、７…縁どり材、１０…枠体、１１…ビスホール、１２…ビス。
【図１】
2005076387.tif 000003
【図２】
2005076387.tif 000004
【図３】
2005076387.tif 000005
【図４】
2005076387.tif 000006
【図５】
2005076387.tif 000007
【図６】
2005076387.tif 000008
【図７】
2005076387.tif 000009
【図８】
2005076387.tif 000010